(57)【要約】【課題】構造が簡単で製作コストを低く抑えることが可能で、しかも、現場に合わせて湾曲度合いを調整することができる手摺りのコーナー具を提供する。【解決手段】手摺りのコーナー具１を湾曲させるとシリコーン樹脂９が弾性変形し、連携部７が塑性変形する。従って、手摺りのコーナー具１は所望の角度に自由に湾曲させることが可能で、シリコーン樹脂９の弾性力に抗してその湾曲した状態を保つことになる。しかも一旦湾曲させて戻すこともできる。【選択図】  図５
0003199810.tif 000002
【実用新案登録請求の範囲】
【請求項１】
塑性変形可能な材料によって構成されたパイプ部材と、前記パイプ部材の周面に形成された複数の切欠き部とを有し、前記複数の切欠き部はパイプ部材の軸方向へ並んで配置され、且つ前記切欠き部の前記パイプ部材の周面方向の両端部間に形成される連携部とを備え、前記複数の連携部は前記パイプ部材の軸方向に並んで配置され、しかも前記パイプ部材には前記複数の切欠き部が形成された範囲に弾性変形可能な弾性変形部材が収容されている手摺りのコーナー具であって、前記パイプ部材を湾曲させると、パイプ部材が前記弾性変形部材の弾性力に抗して湾曲した状態を保つことを特徴とする手摺りのコーナー具。
【請求項２】
請求項１に記載した手摺りのコーナー具において、切欠き部は連携部から離間するに従って幅寸法が徐々に拡がっていることを特徴とする手摺りのコーナー具。
【請求項３】
請求項２に記載した手摺りのコーナー具において、切欠き部は連携部に対向する部分の幅寸法が最大となることを特徴とする手摺りのコーナー具。
【考案の詳細な説明】
【技術分野】
【０００１】
本考案は階段の壁面等に備える手摺りの湾曲部分を構成するコーナー具に関するものである。
【背景技術】
【０００２】
このような湾曲部分を構成する手摺りのコーナー具には、例えば特許文献１に示されたものがある。このものは硬質パイプと硬質パイプとの間に、これらと略同径で且つ曲げ変形時において外形状がほとんど潰れないコイルバネから成る筒状物を介在させて一体化し、硬質パイプ及び筒状物に弾力性を有する弾性層で被覆して成り、筒状物の中心線上の伸びを抑えるべく硬質相互間に伸びにくいワイヤーから成る線状体を張ってある。
【先行技術文献】
【特許文献】
【０００３】
【特許文献１】特開２００４−６０１５０号公報
【考案の概要】
【考案が解決しようとする課題】
【０００４】
しかしながら、上記従来の手摺りのコーナー具は湾曲部分にコイルバネやワイヤー等を備え、しかも、その構造がかなり複雑であるため製作コストが高いという問題がある。
本考案は上記従来の問題点に着目して為されたものであり、構造が簡単で製作コストを低く抑えることが可能で、しかも、現場に合わせて湾曲度合いを調整することができる手摺りのコーナー具の提供を、その目的とする。
【課題を解決するための手段】
【０００５】
本考案は上記課題を解決するためになされたものであり、請求項１の発明は、塑性変形可能な材料によって構成されたパイプ部材と、前記パイプ部材の周面に形成された複数の切欠き部とを有し、前記複数の切欠き部はパイプ部材の軸方向へ並んで配置され、且つ前記切欠き部の前記パイプ部材の周面方向の両端部間に形成される連携部とを備え、前記複数の連携部は前記パイプ部材の軸方向に並んで配置され、しかも前記パイプ部材には前記複数の切欠き部が形成された範囲に弾性変形可能な弾性変形部材が収容されている手摺りのコーナー具であって、前記パイプ部材を湾曲させると、パイプ部材が前記弾性変形部材の弾性力に抗して湾曲した状態を保つことを特徴とする手摺りのコーナー具である。
【０００６】
請求項２の発明は、請求項１に記載した手摺りのコーナー具において、切欠き部は連携部から離間するに従って幅寸法が徐々に拡がっていることを特徴とする手摺りのコーナー具である。
【０００７】
請求項３の発明は、請求項２に記載した手摺りのコーナー具において、切欠き部は連携部に対向する部分の幅寸法が最大となることを特徴とする手摺りのコーナー具である。
【考案の効果】
【０００８】
本考案の手摺りのコーナー具では、切欠き部が形成されたパイプ部材に弾性変形可能な合成樹脂を充填することで構成されているので、構造が簡単で製作コストを低く抑えることが可能となる。しかも、現場に合わせて湾曲度合いを調整することができる。
【図面の簡単な説明】
【０００９】
【図１】本考案の実施の形態に係る手摺りのコーナー具を構成するパイプ部材の平面図である。
【図２】図１のパイプ部材の正面図である。
【図３】図１のパイプ部材の背面図である。
【図４】本考案の実施の形態に係る手摺りのコーナー具の製作方法を説明するための図である。
【図５】本考案の実施の形態に係る手摺りのコーナー具を湾曲させた状態の斜視図である。
【図６】図５の手摺りのコーナー具の部分平面図である。
【図７】図５の手摺りのコーナー具の使用方法を説明するための平面図である。
【図８】図５の手摺りのコーナー具の使用方法を説明するための平面図である。
【図９】図５の手摺りのコーナー具の使用方法を説明するための平面図である。
【図１０】図５の手摺りのコーナー具の傾斜部分における使用方法を説明するための平面図である。
【考案を実施するための形態】
【００１０】
本考案の実施の形態に係る手摺りのコーナー具１について説明する。
符号３は丸パイプから成るパイプ部材を示し、このパイプ部材１は塑性変形可能な材料であるステンレススチールによって構成されている。パイプ部材１の周面には、１１個の切欠き部５が形成されている。切欠き部５はパイプ部材３の軸方向へ並んで配置されており、切欠き部５のパイプ部材３の周面方向の両端部間に連携部７が形成されている。連携部７はパイプ部材３の軸方向に並んで配置されている。
切欠き部５は連携部７から離間するに従って幅寸法が徐々に拡がっており、連携部７に対向する部分の幅寸法が最大となるように形成されている（図１から図３参照）。
【００１１】
また、パイプ部材３には複数の切欠き部５が形成された範囲に弾性変形部材としてのシリコーン樹脂９が収容されている。
シリコーン樹脂９を充填するには図４に示すように、パイプ部材３の一端側を閉鎖部材１１によって閉鎖し、他端側からノズル１３を挿入する。そして、ノズル１３からシリコーン樹脂９を吐出させて複数の切欠き部５が形成された範囲に充填する。シリコーン樹脂９は吐出前においてある程度の流動性を保っており、吐出後に流動性が無くなると共に弾性変形可能な状態となる。
【００１２】
次に本考案の手摺りのコーナー具１の使用方法について説明する。
図５、図６に示すように手摺りのコーナー具１を連携部７が形成された部分が突出する方向へ湾曲させるとシリコーン樹脂９が弾性変形し、連携部７が塑性変形する。従って、手摺りのコーナー具１は所望の角度に自由に湾曲させることが可能で、シリコーン樹脂９の弾性力に抗してその湾曲した状態を保つことになる。しかも一旦湾曲させて、また元に戻すこともできる。
パイプ部材３にシリコーン樹脂９が収容されていることで、外部からの衝撃を吸収でき、手摺りのコーナー具１は高い耐久性を備えている。
【００１３】
図７に示すように建物のコーナー部１５の角度が略直角である場合は、手摺りのコーナー具１をこのコーナー部１５の角度に合うように湾曲させる。
コーナー部１５の角を境にする一方の壁面には連結パイプ１７が取り付け金具１９を介して取り付けられている。連結パイプ１７は手摺りのコーナー具１に嵌り込む小径部１７ａを有している。
手摺りのコーナー具１の一端部を小径部１７ａに嵌め、そのままの状態で連結パイプ２１の小径部２１ａを手摺りのコーナー具１の他端部に嵌めて、取り付け金具２３を介して連結パイプ２１をコーナー部１５の角を境にする他方の壁面に取り付ける。手摺りのコーナー具１の一端部には小径部１７ａが嵌り、他端部は小径部２１ａが嵌るので、手摺りのコーナー具１は連結パイプ１７、２１に保持される。
このようにして、手摺りのコーナー具１を連結パイプ１７、２１に取り付けることで、手摺り２２を完成させる。
【００１４】
図８に示すように建物のコーナー部２５の角度が直角よりある程度小さい角度である場合は、手摺りのコーナー具１をこのコーナー部２５の角度に合うように湾曲させる。
手摺りのコーナー具１の連結パイプ１７、２１に対する取付け方法は図７において説明した場合と同様である。
【００１５】
図９に示すように建物のコーナー部３５の角度が直角よりある程度大きい角度である場合は、手摺りのコーナー具１をこのコーナー部３５の角度に合うように湾曲させる。
手摺りのコーナー具１の連結パイプ１７、２１に対する取付け方法は図７において説明した場合と同様である。
【００１６】
また、手摺りのコーナー具１を傾斜する部分に取り付ける場合には、図１０に示すように捻りながら湾曲させることで、手摺りのコーナー具１の一端側と他端側に傾斜が付くように湾曲させることができる。
【００１７】
このように、手摺りのコーナー具１は、切欠き部が形成されたパイプ部材に弾性変形可能な合成樹脂を収容して構成されているので、構造が簡単で製作コストを低く抑えることが可能である。しかも、現場に合わせて湾曲度合いを容易に調整することができる。
【００１８】
以上、本考案の実施の形態について詳述してきたが、具体的構成は、この実施の形態に限られるものではなく、本考案の要旨を逸脱しない範囲における設計の変更などがあっても考案に含まれる。
例えば、上記実施の形態では丸パイプのパイプ部材を示したが、本考案はこれに限定されず、平面視が四角形、六角形等の角パイプであってもよい。またパイプ部材を構成する材料はステンレススチールの他、アルミニウム合金等の他の金属、或いは合成樹脂であってもよいのは勿論である。更に、弾性変形部材はシリコーン樹脂以外の合成ゴム等で構成してもよい。
【産業上の利用可能性】
【００１９】
本考案の手摺りのコーナー具は、建築材料の製造業において産業上利用可能性を有し、構造が簡単で製作コストを低く抑えることが可能で、現場に合わせて湾曲度合いを調整することができるものである。
【符号の説明】
【００２０】
１…手摺りのコーナー具            ３…パイプ部材
５…切欠き部                      ７…連携部
９…シリコーン樹脂              １１…閉鎖部材
１３…ノズル                      １５、２５、３５…コーナー部
１７、２１…連結パイプ            １７ａ、２１ａ…連家部パイプの小径部
【図１】
0003199810.tif 000003
【図２】
0003199810.tif 000004
【図３】
0003199810.tif 000005
【図４】
0003199810.tif 000006
【図５】
0003199810.tif 000007
【図６】
0003199810.tif 000008
【図７】
0003199810.tif 000009
【図８】
0003199810.tif 000010
【図９】
0003199810.tif 000011
【図１０】
0003199810.tif 000012